(57)【要約】【課題】面状ヒータの製造時における欠陥品の発生を抑え、生産上の信頼性を向上させることを目的とする。【解決手段】本願発明の面状ヒータは、面状に延びるヒータ線１と、ヒータ線１をサンドイッチする一対２枚の絶縁シート２１，２２と、を有する面状ヒータであって、ヒータ線１と一方の絶縁シート２１とが予め複数の部分（斜線部分）で固定され、絶縁シート２１，２２でサンドイッチ状に挟み込まれてシート状に一体化されていることを特徴とする。ヒータ線１と絶縁シート２１とが複数の部分で仮に固定されることにより、ヒータ線１が折れたり重なったりするのを防止できる。【選択図】          図１
2004152691.tif 000002
【特許請求の範囲】
【請求項１】
屈曲して隣接する部分と間隔を隔てて面状に延びるヒータ線と、該ヒータ線をサンドイッチする一対２枚の絶縁シートと、を有する面状ヒータであって、
該ヒータ線と一方の該絶縁シートとが予め複数の部分で固定され、その後該ヒータ線が該一対の絶縁シートでサンドイッチ状に挟み込まれてシート状に一体化されていることを特徴とする面状ヒータ。
【請求項２】
前記ヒータ線は、その側部から突出する係合凸部を有し、前記一方のシートは該係合凸部が挿着される係合孔を有し、該係合凸部が該係合孔に挿着固定されている請求項１記載の面状ヒータ。
【請求項３】
前記ヒータ線と前記一方の絶縁シートとが予め複数の部分で接着剤により固定されている請求項１記載の面状ヒータ。
【発明の詳細な説明】
【０００１】
【発明の属する技術分野】
本発明は、二次元方向に広がる加熱面を持つ加熱器機の熱源などに用いられる、面状ヒータに関するものである。
【０００２】
【従来の技術】
面状ヒータは、屈曲して隣接する部分と間隔を隔てて面状に延びるヒータ線を２枚の絶縁シートでサンドイッチしてシート状に一体化したものである。そしてヒータ線の両端部に所定電圧を作用させることによりヒータ線に電流が流れ、ヒータ線の電気抵抗発熱によりヒータ線が加熱され、この熱が面状ヒータに伝熱されて面状ヒータ全体が発熱するものである。
【０００３】
かかる面状ヒータは、所定面積を発熱させる必要のある部分に配置あるいは埋設されて用いられる。
【０００４】
所定平面を均一に加熱するためにはヒータ線を屈曲させて単位面積当たりのヒータ線の線分の割合を一定にする必要がある。また、当然にヒータ線はその部分部分が互いに重なったり接触しないように、隣接するヒータ線の線分所定間隙を隔てる必要がある。接触したりすると接触部分でショートし、ヒータ線全体に電流が流れず、均一な加熱ができなくなる。
【０００５】
このように二次元的に複雑に屈曲するヒータ線を示す一例として特許文献１があるが、このヒータ線は縺れやすく取り扱いが不便である。このために２枚の絶縁シート間に正しくヒータ線をサンドイッチするのが困難である。
【０００６】
【特許文献１】
特開２００１−１３５４６３号公報
【０００７】
【発明が解決しようとする課題】
本発明は、上記の問題点に鑑み、２枚の絶縁シートに正しくヒータ線をサンドイッチし、電気ショート等の不都合の生じない面状ヒータを提供することを目的とする。
【０００８】
【課題を解決するための手段】
本発明の面状ヒータは、屈曲して隣接する部分と間隔を隔てて面状に延びるヒータ線と、該ヒータ線をサンドイッチする一対２枚の絶縁シートと、を有する面状ヒータであって、
該ヒータ線と一方の該絶縁シートとが予め複数の部分で固定され、その後該ヒータ線が該一対の絶縁シートでサンドイッチ状に挟み込まれてシート状に一体化されていることを特徴とする。
【０００９】
ヒータ線と一方の絶縁シートとが複数の部分で予め固定されていることにより、ヒータ線が折れ曲がったり重なったりするのを防止できる。
【００１０】
【発明の実施の形態】
本発明の面状ヒータは、ヒータ線と絶縁シートとで構成されている。
【００１１】
ヒータ線は通電により発熱する電気抵抗体で耐熱性の有る金属などで構成される。ヒータ線は線材を屈曲して形成しても、シート材を所定幅の屈曲したパターンに打ち抜いたり、エッチングして形成してもよい。本発明の面状ヒータでは従来のヒータ線をそのままあるいは従来のヒータ線を僅かに変形させて使用できる。
【００１２】
絶縁シートも従来と同じく電気絶縁性を持ち耐熱性の有るシートが使用できる。剛性の高いものでも屈曲性のあるものでも良い。
【００１３】
本発明の面状ヒータでは、ヒータ線と一方の絶縁シートとが予め複数の部分で固定され、ヒータ線は固定によりその形状が部分的に固定され、ヒータ線の変形が抑制されている。
【００１４】
固定は複数の部分でヒータ線と絶縁シートとが一体的とされ、その部分での分離、移動が不能とされている。固定の方法は特に制限されないが、機械的に固定する方法、接着剤で固定する方法などを採用できる。
【００１５】
本発明の面状ヒータでは、ヒータ線と一方の絶縁シートとが予め複数の部分で固定されているため、ヒータ線は変形等が抑制され、ヒータ線の形状が所定形状を保った状態で２枚の絶縁シートにサンドイッチされる。このため、サンドイッチされた状態でヒータ線は所定形状の状態で絶縁シート間に固定されることになる。
【００１６】
このため、本発明の面状ヒータは、計画通りの均一な発熱を可能にする。
【００１７】
なお、１枚の面状ヒータに２個以上のヒータ線を組み入れたり、温度センサー等を組み付けたりすることもできる。
【００１８】
【実施例】
本発明の面状ヒータの一実施例を図１〜５に示す。図１および５は、本実施例の面状ヒータの平面図で、図１においては、ヒータ線を覆う一方の絶縁シートは、その一部のみを示す。また、図５は、図１の面状ヒータを裏側から平面視した図である。図３及び図４は、図１の一部を拡大した図である。また、図２はヒータ線のみの平面図である。
【００１９】
本願発明の面状ヒータは、屈曲して隣接する部分と間隔を隔てて面状に延びるヒータ線１と、ヒータ線１をサンドイッチする一対２枚の絶縁シート２１、２２と、リード線３とからなる。
【００２０】
絶縁シート２１、２２は、一対２枚となっており共に同一形状である。なお、図１において、絶縁シート２２は一部のみを示している。絶縁シート２１、２２は所定の厚さのマイカシートからなり、１１５ｍｍ×１３５ｍｍの長方形で、リード線３が延出する辺部に凹状部分を有する。また、絶縁シート２１、２２は、それぞれ、長方形の四隅と中央付近に計８個の円形の穴を有し、これら円形の穴は、ヒータ線１を避けて形成されているため、絶縁シート２１と２２とでヒータ線を挟み込んだ際には、面状ヒータを厚さ方向に貫通する貫通穴４となっている。これらの貫通穴４は、面状ヒータを被加熱体へ取り付けるための螺子穴である。
【００２１】
なお、本実施例において、絶縁シートにはマイカシートを用いたが、マイカシートの他にも電気絶縁性を持ち耐熱性の有るシートであれば、ポリイミドフィルム、シリコンラバーシート等の従来用いられているシートでよい。また、その厚さや形状は、ヒータ線の配列や面状ヒータの消費電力や用途に応じて適宜選択すればよい。
【００２２】
ヒータ線１は、ニッケル−クロム合金からなる厚さ８０μｍの帯状の金属箔であって、その幅は２ｍｍで一定である。ヒータ線１は、図１および２に示すパターンに配列されており、側部には５か所の係合凸部１６をもつ。ヒータ線１の両端部には、それぞれリード線３が結線されている。
【００２３】
ヒータ線１は、一対２枚の絶縁シート２１、２２で挟み込む前に、一方の絶縁シート２１に係合凸部１６を用いて予め固定する。ヒータ線１の側部に形成された係合凸部１６は、図３（絶縁シート２２は図示せず）に示す絶縁シート２１に形成された係合孔２６に挿着され、図４（図３のＩにおける断面図）に示すように係合孔２６に挿着された係合凸部１６を折り返すことにより固定する。以上のように、図１の斜線部（５か所）において仮止めをする。なお、図１の斜線部は平面視した場合の場所のみを示すものである。
【００２４】
なお、本実施例において、ヒータ線にはニッケル−クロム合金を用いたが、この他にも、従来用いられるような鉄−クロム合金、ニッケル鉄合金、ＳＵＳ、アルミ、白金、鉄、ニッケル等の合金や純金属などからなる発熱材料でよい。その厚さや形状は、面状ヒータの形状や消費電力、発熱分布に依存するため特に限定する事項ではなく、実施の際に適宜選択すればよい。また、実施例に用いたヒータ線１に形成される係合凸部１６は帯状の四角形であるが、四角形の他に先端が尖った三角形や先端が滑らかな半円形など、また線状、針状など、係合孔に挿着することが可能であればいずれの形状でも良い。なお、係合孔の形状も、特に限定はない。
【００２５】
また、本実施例では、ヒータ線１が複数の係合凸部１６により、機械的に絶縁シート２１に固定する例を示したが、係合凸部１６が形成されていないヒータ線を耐熱性の接着剤などにより部分的に固定しても良い。
【００２６】
そして、ヒータ線１が絶縁シート２１に固定された状態で、この分野で一般的な接着方法により絶縁シート２１と２２とを接着して一体化する。
【００２７】
また、図５は絶縁シート２１側から平面視した面状ヒータの平面図を示す。ヒータ線１１の端部と係合凸部１６が係合孔２６から絶縁シート２１の表面側へ露出しているので、さらに絶縁シート２１表面を絶縁シート２１と同一形状（ただし、係合孔２６をもたない）をもつ絶縁シート２３で被覆する。なお、図５において、絶縁シート２３は、その一部のみを示す。
【００２８】
本実施例では、係合凸部１６を被覆するために絶縁シート２３を面状シートの全面を被覆したが、係合凸部の周辺のみを被覆してもよい。また、係合凸部が面状ヒータの表面に露出していない場合でも、より絶縁性をもたせたい場合は、絶縁シート２１、２２の表面に、これらのシートと同一形状（ただし、係合孔２６をもたない）の絶縁シートを複数枚被覆し一体化することも可能である。
【００２９】
なお、絶縁シート同士の接着方法は、例えば、シリコン系の接着剤等の耐熱性の接着剤をシート全面に塗布して貼り合わせるなど、絶縁シートの素材などに合わせて適宜選択すべきものである。
【００３０】
【発明の効果】
本発明の面状ヒータは、面状に延びるヒータ線と、ヒータ線をサンドイッチする一対２枚の絶縁シートとを有する面状ヒータであって、ヒータ線と一方の絶縁シートとが予め複数の部分で固定されていることにより、製造する際にヒータ線が折れたり重なったりするのを防止できる。その結果、生産時に発生する欠陥品を減少でき、生産性の上で信頼性が向上し利益が大きい。
【図面の簡単な説明】
【図１】本発明の一実施例である面状ヒータの平面図である。
【図２】本発明の一実施例である面状ヒータのヒータ線の平面図である。
【図３】本発明の一実施例である面状ヒータの部分拡大平面図である。
【図４】図３のＩにおける断面を模式的に示した図である。
【図５】本発明の一実施例である面状ヒータの平面図で、図１の裏面より平面視したものである。
【符号の説明】
１：ヒータ線
２１，２２：絶縁シート
１６：係合凸部
２６：係合孔
【図１】
2004152691.tif 000003
【図２】
2004152691.tif 000004
【図３】
2004152691.tif 000005
【図４】
2004152691.tif 000006
【図５】
2004152691.tif 000007